(57)【要約】【課題】  製造ライン及び設備コストの低減が図れる雨戸装置を提供する。ことを特徴とする製造ラインの一体化によるコストの低下が図れる雨戸装置を提供する。【解決手段】  建物の開口部に設けられた窓２の室外側に配置される上枠３ａ、下枠３ｂ及び左右の縦枠３ｃ，３ｃからなる枠３と、少なくとも前記上枠３ａにスライド開閉自在に設けられる雨戸５，５とを備え、上枠３ａと下枠３ｂの少なくとも一方は室内外方向に複数に分割された複数の構成部材３１ｘと３１ｙ，３２ｘと３２ｙからなり、これら構成部材３１ｘと３１ｙ，３２ｘと３２ｙは共通の基本断面形状を有している。【選択図】          図３
2006249746.tif 000002
【特許請求の範囲】
【請求項１】
建物の開口部に設けられた窓の室外側に配置される上枠、下枠及び左右の縦枠からなる枠と、少なくとも前記上枠にスライド開閉自在に設けられる雨戸とを備え、上枠と下枠の少なくとも一方は室内外方向に複数に分割された複数の構成部材からなり、これら構成部材は共通の基本断面形状を有していることを特徴とする雨戸装置。
【発明の詳細な説明】
【技術分野】
【０００１】
本発明は、雨戸装置に係り、特に上枠又は下枠の構造を改良した雨戸装置に関する。
【背景技術】
【０００２】
従来のこの種の雨戸装置としては、例えば実開昭５３−１６１５４９号公報に記載されているもの（前者）や特開平８−１５１８７１号公報に記載されているもの（後者）が知られている。前者の雨戸装置は、窓枠の上枠の外壁の屋外側に雨戸用上レールを設け、窓枠の下枠の下面に雨戸用下レールを設け、雨戸用上レールの両側延長線上に雨戸用延長上レールを設け、雨戸用下レールの両側延長線上に雨戸用延長下レールを設けている。雨戸の上框には雨戸用上レール及び雨戸用延長上レール上を走行する吊車が設けられ、雨戸の下框には雨戸用下レール及び雨戸用延長下レール上を案内されるガイド片が設けられている。
【０００３】
後者の雨戸装置は、窓の上方に設けられ、間隔を開けて対向した戸車を長手方向に複数有する上雨戸レールと、窓の下方に設けられる下雨戸レールと、一端の上下に突起を有し、上端に設けられた水平フランジが前記戸車に載置され、下端が下雨戸レールに嵌合されて左右にスライド自在に複数取付けられる雨戸本体と、雨戸本体の一端の上または下の突起を係止して雨戸本体を上下の雨戸レールの延長線上に突出した状態に固定する溝を有し、上下の雨戸レールの一端に各々設けられるエンドテーブルとを備えている。水平フランジは雨戸本体に設けた可動レールといえる。
【０００４】
【特許文献１】実開昭５３−１６１５４９号公報
【特許文献２】特開平８−１５１８７１号公報
【発明の開示】
【発明が解決しようとする課題】
【０００５】
ところで、雨戸装置としては、例えば両開きに開閉可能な２枚の雨戸を有する２枚建てタイプのものと、４枚の雨戸を有する４枚建てタイプのものの２種類が考えられる。この場合、雨戸装置の上枠や下枠の室内外方向の寸法（見込み寸法）がタイプによって異なるため、２枚建てタイプと４枚建てタイプの２種類の製造ラインが必要となり、設備コストの増大を招く問題がある。
【０００６】
本発明は、上記事情を考慮してなされたものであり、製造ライン及び設備コストの低減が図れる雨戸装置を提供することを目的とする。
【課題を解決するための手段】
【０００７】
建物の開口部に設けられた窓の室外側に配置される上枠、下枠及び左右の縦枠からなる枠と、少なくとも前記上枠にスライド開閉自在に設けられる雨戸とを備え、上枠と下枠の少なくとも一方は室内外方向に複数に分割された複数の構成部材からなり、これら構成部材は共通の基本断面形状を有していることを特徴とする。
【発明の効果】
【０００８】
本発明によれば、建物の開口部に設けられた窓の室外側に配置される上枠、下枠及び左右の縦枠からなる枠と、少なくとも前記上枠にスライド開閉自在に設けられる雨戸とを備え、上枠と下枠の少なくとも一方は室内外方向に複数に分割された複数の構成部材からなり、これら構成部材は共通の基本断面形状を有しているため、製造ライン及び設備コストの低減が図れる。
【発明を実施するための最良の形態】
【０００９】
以下に、本発明を実施するための最良の形態について、添付図面を基に詳述する。図１は本発明の第１実施形態である雨戸装置を示す全開時の室外側正面図、図２は同雨戸装置の全開時の室外側正面図、図３は同雨戸装置の縦断面図、図４は同雨戸装置の横断面図、図５はスライドレールを示す図で、（ａ）は横断面図、（ｂ）は全閉時の右半分の縦断面図、（ｃ）は全開時の右側部分の縦断面図である。
【００１０】
これらの図において、１は雨戸装置で、図示例の雨戸装置はユニット化された鎧戸セットとして形成されている。この雨戸装置１は、建物の開口部に設けられた窓２の室外側に配置される上枠３ａ、下枠３ｂ及び左右の縦枠３ｃ，３ｃからなる枠３と、少なくとも前記上枠３ａにスライドレール４を介して両開きにスライド開閉自在に設けられる雨戸（例えば鎧戸、戸体ともいう。）５，５とを備えている。前記窓２としては、例えば引違い窓サッシが適用される。この引違い窓サッシは、上枠６ａ、下枠６ｂ及び左右の縦枠６ｃ，６ｄからなるサッシ枠（窓枠）６と、このサッシ枠６内に引違いにスライド開閉自在に設けられた内外の障子７，８とを備えている。なお、９は開口部の室内側に設けられた額縁である。雨戸装置１の枠３は、窓２のサッシ枠６の外周を囲繞するよう設けられている。
【００１１】
雨戸装置１の枠３を構成する上枠３ａ、下枠３ｂ及び左右の縦枠３ｃ，３ｃは、例えばアルミ押出形材からなっている。枠３は、上枠３ａと下枠３ｂの両端部相互間に縦枠３ｃ，３ｃを挟み込んでネジ止めにより組み立ててなり、上枠３ａ及び下枠３ｂの両端部が露出する横通し組立構造が採用されている。上枠３ａ及び下枠３ｂの両端部には端部キャップが取付けられている（図示省略）。前記枠３の上枠３ａ及び下枠３ｂが建物の躯体の外壁に固着具例えばネジ１０で固定される。図示例の縦枠３ｃは、主枠３ｘと、該主枠３ｘにネジで着脱自在に取付けられた補助枠３ｙとの２部材からなっているが、１部材からなっていても良い。各雨戸（戸体）５は、上框１１ａ、下框１１ｂ及び左右の縦框である合掌框１１ｃと戸先框１１ｄからなる框組１１内に波状等の金属プレート１２を組込んでなる。
【００１２】
前記スライドレール４は、上枠３ａに設けられた固定レール４ａと、該固定レール４ａに中間レール４ｂを介してスライド自在に支持された可動レール４ｃとを有し、該可動レール４ｃが雨戸５の背面部、すなわち上框１１ａの背面部（室内面）に設けられている。上枠３ａの下面には、その室内外方向略中間部に下部取付片１３が設けられ、この下部取付片１３の室外面に固定レール４ａがネジで取付けられている。前記雨戸５の上框１１ａの室内面に対して前記可動レール４ｃがネジで取付けられている。スライドレール４により前記雨戸５は全開時に両縦枠３ｃより外側に突出した状態に保持されるように構成されている。
【００１３】
固定レール４ａは、上枠３ａの略全長に対応する長さの一本のレールからなっている。中間レール４ｂと可動レール４ｃは、それぞれ固定レール４ａの略半分の長さとされる。固定レール４ａと可動レール４ｃは、共に室内外方向の寸法を抑えた扁平形の横断面略Ｃ字状に形成され、内側（内部）に中間レール４ｂを挟み込む（覆い包む）ように相対向して配置されている。中間レール４ｂには固定レール４ａの上下の溝１４と、可動レール４ｃの上下の溝１４にそれぞれ対向する４つの溝１５が形成されており、各対向する溝１４，１５間にはボールベアリングとしてのボール（鋼球）１６が複数個ずつ設けられている。固定レール側には、固定レール側の上下のボール１６を固定レール４ａの長手方向に所定の間隔で回転自在に保持する固定レール側のボールリテーナー１７がレール長手方向に移動自在に設けられている。可動レール側には、可動レール側の上下のボール１６を可動レール４ｂの長手方向に所定の間隔で回転自在に保持する可動レール側のボールリテーナー１８がレール長手方向に移動自在に設けられている。
【００１４】
可動レール４ｃの伸張時（雨戸の全開時）にその最大伸張位置を規定するために、可動レール４ｃの後端部（収縮側）には可動レール側のボールリテーナー１８の後端部に当接して可動レール４ｃの伸張方向への移動を停止させる第１ストッパー１９が設けられ、中間レール４ｂの先端部（伸張側）には可動レール側のボールリテーナー１８の先端部に当接して当該ボールリテーナー１８の伸張方向への移動を停止させる第２ストッパー２０が設けられている。また、中間レール４ｂの後端（収縮側）には固定レール側のボールリテーナー１７の後端部に当接して中間レール４ｂの伸張方向への移動を停止させる第３ストッパー２１が設けられ、固定レール４ａの先端部（伸張側）には固定レール側のボールリテーナー１７の先端部に当接して当該ボールリテーナー１７の伸張方向への移動を停止させる第４ストッパー２２が設けられている。
【００１５】
なお、可動レール４ｃの収縮時（雨戸の全閉時）には、左右の可動レール４ｃ同士が当接して収縮方向への移動が停止されるようになっている。雨戸５の上部である上框１１ａには、スライドレール４の上部、特に雨戸全開時に上枠３ａの外側方へ突出される中間レール４ｂ及び可動レール４ｃの上部を覆う覆い部（雨避け）２３が設けられ、スライドレール４のボールベアリングに注入された潤滑材例えばグリースが雨で洗い流されるのを防止している。
【００１６】
雨戸装置１の下枠３ｂは、雨戸５の下部を収容する凹部２４が形成されている。この凹部２４は室外側及び左右両端が開放されている。雨戸５の下部を案内するために、前記下枠３ｂにもスライドレールが設けられていても良いが、構造の簡素化及びコストの低減を図るために、雨戸５の下部背面部である下框１１ｂの室内面には横断面逆Ｌ字状で垂下したガイド板部２５が長手方向に沿って設けられ、下枠３ｂの上面には前記ガイド板部２５を案内する上向きに開口したガイド溝を形成するガイド溝形成片２６が突出形成されている。ガイド溝形成片２６にはごみの侵入を防止するモヘア２７が設けられている。また、ガイド溝形成片２６には雨戸５の振れ（揺動）すなわちガイド板部２５の室内外方向への振れを抑制する樹脂製の振れ止め部材２８が装着されている。前記上枠３ａには左右の雨戸５の開閉を連動させる連動機構が設けられていることが好ましい。
【００１７】
雨戸全閉時の耐風圧性の向上（風の巻き込みによる雨戸のガタツキの防止）、光漏れの防止及び防犯性の向上を図るために、前記縦枠３ｃと前記雨戸５の背面部とには雨戸５の全閉時に互いに係合して両者間の隙間を覆う全閉時用返し部２９ａ，２９ｂが設けられている。図示例では、縦枠３ｃの室外面には外向きに突出した横断面略Ｌ字状の縦枠側全閉時用返し部２９ａが形成され、雨戸５の戸先框１１ｄの室内面には前記縦枠側全閉時用返し部２９ａに係合するように内向きに突出した横断面略Ｌ字状の雨戸側全閉時用返し部２９ｂが形成されている。
【００１８】
また、雨戸全開時の耐風圧性の向上を図るために、前記縦枠３ｃと前記雨戸５の背面部とには雨戸５の全開時に互いに係合して両者間の隙間を覆う全開時用返し部３０ａ，３０ｂが設けられている。図示例では、縦枠側全閉時用返し部２９ａの室外面には内向きに突出した横断面略Ｌ字状の縦枠側全開時用返し部３０ａが形成され、雨戸５の合掌框１１
ｃの室内面には前記縦枠側全開時用返し部３０ａに係合するように外向きに突出した横断面略Ｌ字状の雨戸側全開時用返し部３０ｂが形成されている。全閉時用返し部２９ａ，２９ｂ及び全開時用返し部３０ａ，３０ｂの先端部には互いに係合し易いようにテーパーが設けられていることが好ましい。雨戸５の合掌框１１ｃには錠装置（例えば鎌錠）が設けられている。
【００１９】
一方、上枠３ａと下枠３ｂの少なくとも一方（本実施例では両方）は室内外方向に複数に分割された複数の構成部材からなり、これら構成部材は共通の基本断面形状を有している。すなわち、上枠３ａは、室内側（基部側）の第１構成部材３１ｘと室外側（先端側）の第２構成部材３１ｙからなり、これら第１・第２構成部材３１ｘ，３１ｙは共通の断面形状、中空の断面方形状で室内側の上角部と室外側の下角部に凹部３３ａ，３３ｂを有する断面形状に形成されている。第２構成部材３１ｙは、下面から下方に突出形成された前記下部取付片１３と、前面の上下縁部から前方に突出形成された前部取付片３４ａ，３４ｂとを有しており、前部取付片３４ａ，３４ｂには上正面カバー部材３５ａが係合とネジ止めにより着脱自在に取付けられている。
【００２０】
第１構成部材３１ｘは、第２構成部材３１ｙから下部取付片１３及び前部取付片３４ａ，３４ｂを切除したものであり、従ってこれら第１・第２構成部材３１ｘ，３１ｙは一つの製造ラインで製造することが可能になっている。第１構成部材３１ｘと第２構成部材３１ｙはネジで接合されるが、第２構成部材３１ｙの自重等による垂れ下がりを防止するために、これら第１・第２構成部材３１ｘ，３１ｙの間には断面逆Ｌ字状の接続金具３６が挟持され、該接続金具３６の上片部が第２構成部材３１ｙの上部の凹部３３ａに当接されてネジで固定されている。意匠性の向上を図るために、これら第１・第２構成部材３１ｘ，３１ｙの上面には上面カバー部材３７が取付けられていることが好ましい。なお、図３中、３８は端部キャップを固定しているネジである。
【００２１】
下枠３ｂは、室内側（基部側）の第１構成部材３２ｘと室外側（先端側）の第２構成部材３２ｙからなり、これら第１・第２構成部材３２ｘ，３２ｙは共通の断面形状、中空の断面台形状に形成されている。第２構成部材３２ｙは、上面から突出形成されたガイド溝形成片２６と、前面の上下縁部から前方に突出形成された前部取付片３９ａ，３９ｂとを有しており、前部取付片３９ａ，３９ｂには下正面カバー部材３５ｂが係合とネジ止めにより着脱自在に取付けられている。
【００２２】
第１構成部材３２ｘは、第２構成部材３２ｙからガイド溝形成片２６と、上側の前部取付片３９ａを切除したものであり、従ってこれら第１・第２構成部材３２ｘ，３２ｙは一つの製造ラインで製造することが可能になっている。第１構成部材３２ｘと第２構成部材３２ｙはネジで接合されるが、第２構成部材３２ｙの自重等による垂れ下がりを防止するために、これら第１・第２構成部材３２ｘ，３２ｙの間には断面略Ｌ字状の接続金具４０が挟持され、該接続金具４０の下片部が第２構成部材３２ｙの下部に当接されている。
【００２３】
以上の構成からなる雨戸装置１によれば、建物の開口部に設けられた窓２の室外側に配置される上枠３ａ、下枠３ｂ及び左右の縦枠３ｃ，３ｃからなる枠３と、少なくとも前記上枠３ａにスライド開閉自在に設けられる雨戸５，５とを備え、上枠３ａと下枠３ｂの少なくとも一方（実施例では両方）は室内外方向に複数に分割された複数の構成部材３１ｘ，３１ｙ,３２ｘ,３２ｙからなり、これら構成部材は共通の基本断面形状を有しているため、製造ライン及び設備コストの低減が図れる。
【００２４】
すなわち、上枠３ａは共通の基本断面形状を有する第１・第２構成部材３１ｘ，３１ｙからなり、第２構成部材３１ｙから下部取付片１３及び前部取付片３４ａ，３４ｂを切除することにより第１構成部材３１ｘが得られる。従って、上枠３ａを構成する第１・第２構成部材３１ｘ，３１ｙは一つの製造ラインにより製造できるので、製造ライン及び設備コストの低減、延いては雨戸装置のコストの低減が図れる。下枠３ｂは共通の基本断面形状を有する第１・第２構成部材３２ｘ，３２ｙからなり、第２構成部材３２ｙから上側の前部取付片３９ａを切除することにより第１構成部材３２ｘが得られるため、これらは一つの製造ラインにより製造でき、製造ライン及び設備コストの低減、延いては雨戸装置のコストの低減が図れる。
【００２５】
図６は本発明の第２実施形態である雨戸装置を示す全開時の室外側正面図、図７は図６の雨戸装置の全閉時の状態を示す図で、（ａ）は室外側正面図、（ｂ）は側面図、（ｃ）は概略的横断面図、図８は図６の雨戸装置の縦断面図、図９は図６の雨戸装置の横断面図である。本実施の形態において、前記実施の形態と同一部分は同一符号を付して説明を省略する。本実施の形態の雨戸装置１は、少なくとも上枠３ａに引違いで左右両開きにスライド開閉可能に設けられた４枚建ての内外の雨戸（例えば鎧戸、戸体ともいう。）５ａ，５ａ，５ｂ，５ｂとを備えている。
【００２６】
本実施例の雨戸は、閉鎖時に中央で突合される左右一対の外雨戸５ｂと、両側の一対の内雨戸５ａとからなる、内−外−外−内の配置構成になっている。上枠３ａには内雨戸５ａの上部をスライド可能に支持する内雨戸用のスライドレール４Ａと、外雨戸５ｂの上部をスライド可能に支持する外雨戸用のスライドレール４Ｂとが設けられ、これらのスライドレール４Ａ，４Ｂを介して内雨戸５ａと外雨戸５ｂが全開時に室内外方向に重なった状態で両縦枠３ｃより左右方向外側（外側方）に突出した状態に保持されるようになっている。なお、スライドレール４Ａ，４Ｂの構造は、第１実施形態のスライドレール４と略同じである。
【００２７】
雨戸全閉（閉鎖）時の日射遮蔽性、防犯性及び耐風圧性（風の巻き込みによる雨戸のガタツキの防止）の向上を図るため、及び外雨戸５ｂの閉動作に内雨戸５ａを連動させるために、縦枠３ｃと内雨戸５ａの対向部、及び内雨戸５ａと外雨戸５ｂの対向部には、雨戸全閉時に互いに係合して両者間の隙間を覆う全閉時用係合部（返し部ともいう）２９ａと２９ｂ、２９ｃと２９ｄがそれぞれ設けられている。
【００２８】
また、雨戸全開（開放）時の耐風圧性の向上を図るため、及び外雨戸５ｂの開動作に内雨戸５ａを連動させるために、縦枠３ｃと内雨戸５ａの対向部、及び内雨戸５ａと外雨戸５ｂの対向部には、雨戸全開時に互いに係合して両者間の隙間を覆う全開時用係合部（返し部）３０ａと３０ｂ、３０ｃと３０ｄがそれぞれ設けられている。
【００２９】
本実施の形態では、上枠３ａは、室内側（基部側）の第１構成部材３１ｘと、室外側（先端側）の第２構成部材３１ｙと、これら第１・第２構成部材３１ｘ，３１ｙ間に介設される第３構成部材３１ｚとからなり、これら第１・第２・第３構成部材３１ｘ，３１ｙ，３１ｚは共通の断面形状を有している。第３構成部材３１ｚは第２構成部材３１ｙから前部取付片３４ａ，３４ｂを切除したものであり、第１構成部材３１ｘは第２構成部材３１ｙから前部取付片３４ａ，３４ｂ及び下部取付片１３を切除したものであり、従って、これら第１・第２・第３構成部材３１ｘ，３１ｙ，３１ｚは一つの製造ラインで製造することが可能になっている。第１構成部材３１ｘと第３構成部材３１ｚ、第３構成部材３１ｚと第２構成部材部３１ｙはそれぞれネジで接合されるが、第２・第３構成部材３１ｙ，３１ｚの自重等による垂れ下がりを防止するために、これら第１・第３構成部材３１ｘ，３１ｚ間、第３・第２構成部材３１ｚ，３１ｙ間には断面逆Ｌ字状の接続金具３６が挟持され、各接続金具３６の上片部が第３・第２構成部材３１ｚ，３１ｙの上部の凹部３３ａにそれぞれ当接されてネジで固定されている。意匠性の向上を図るために、これら第１・第２・第３構成部材３１ｘ，３１ｙ，３１ｚの上面には上面カバー部材３７が取付けられていることが好ましい。なお、第２構成部材３１ｙの下部取付片１３には外雨戸用のスライドレール４Ｂが取付けられ、第３構成部材３１ｚの下部取付片１３には内雨戸用のスライドレール４Ａが取付けられる。
【００３０】
下枠３ｂは、室内側（基部側）の第１構成部材３２ｘと、室外側（先端側）の第２構成部材３２ｙと、これら第１・第２構成部材３２ｘ，３２ｙ間に介設される第３構成部材３２ｚとからなり、これら第１・第２・第３構成部材３２ｘ，３２ｙ，３２ｚは共通の断面形状を有している。第３構成部材３２ｚは第２構成部材３２ｙから上側の前部取付片３９ａを切除したものであり、第１構成部材３２ｘは第２構成部材３２ｙからガイド溝形成片２６と上側の前部取付片３９ａを切除したものであり、従って、これら第１・第２・第３構成部材３２ｘ，３２ｙ，３２ｚは一つの製造ラインで製造することが可能になっている。
【００３１】
第１構成部材３２ｘと第３構成部材３２ｚ、第３構成部材３２ｚと第２構成部材部３２ｙはそれぞれネジで接合されるが、第２・第３構成部材３２ｙ，３２ｚの自重等による垂れ下がりを防止するために、これら第１・第３構成部材３２ｘ，３２ｚ間、第３・第２構成部材３２ｚ，３２ｙ間には断面略Ｌ字状の接続金具４０が挟持され、各接続金具４０の下片部が第３・第２構成部材３２ｚ，３２ｙの下部にそれぞれ当接されている。本実施の形態の雨戸装置においても、前記実施の形態の雨戸装置と同様の効果が得られる。雨戸装置の上枠や下枠の室内外方向の寸法（見込み寸法）がタイプによって異なり、２枚建てタイプと４枚建てタイプの２種類の製造ラインが必要となるところであるが、上枠と下枠の少なくとも一方は室内外方向に複数に分割された複数の構成部材からなり、これら構成部材は共通の基本断面形状を有しているため、１種類ないし少数種類の製造ラインで足り、製造ラインの低減ないし削減が図れると共に、設備コストの低減、延いては雨戸装置のコストの低減が図れる。
【００３２】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、スライドレールとしては、左右の雨戸間の開口幅を広くするために固定レールと、中間レールと、可動レールとからなることが好ましいが、本発明の場合、少なくとも固定レールと可動レールからなっていれば良い。また、前記実施の形態では雨戸装置は窓とは別体でユニット化されているが、窓と一体に形成されていても良い。スライドレールの円滑な動きを確保するためにボールベアリングが採用されているが、ボールベアリングに代えて車輪、ローラ等を採用しても良い。雨戸装置としては、片引きの１枚建ての雨戸を有するものであっても良い。
【図面の簡単な説明】
【００３３】
【図１】本発明の第１実施形態である雨戸装置を示す全開時の室外側正面図である。
【図２】同雨戸装置の全開時の室外側正面図である。
【図３】同雨戸装置の縦断面図である。
【図４】同雨戸装置の横断面図である。
【図５】スライドレールを示す図で、（ａ）は横断面図、（ｂ）は全閉時の右半分の縦断面図、（ｃ）は全開時の右側部分の縦断面図である。
【図６】本発明の第２実施形態である雨戸装置を示す全開時の室外側正面図である。
【図７】図６の雨戸装置の全閉時の状態を示す図で、（ａ）は室外側正面図、（ｂ）は側面図、（ｃ）は概略的横断面図である。
【図８】図６の雨戸装置の縦断面図である。
【図９】図６の雨戸装置の横断面図である。
【符号の説明】
【００３４】
１  雨戸装置
２  窓
３  枠
３ａ  上枠
３ｂ  下枠
３ｃ  縦枠
５  雨戸
３１ｘ，３１ｙ  上枠の構成部材
３２ｘ，３２ｙ  下枠の構成部材
５ａ  内雨戸
５ｂ  外雨戸
３１ｘ，３１ｙ，３１ｚ  上枠の構成部材
３２ｘ，３２ｙ，３２ｚ  下枠の構成部材
【図１】
2006249746.tif 000003
【図２】
2006249746.tif 000004
【図３】
2006249746.tif 000005
【図４】
2006249746.tif 000006
【図５】
2006249746.tif 000007
【図６】
2006249746.tif 000008
【図７】
2006249746.tif 000009
【図８】
2006249746.tif 000010
【図９】
2006249746.tif 000011